(57)【特許請求の範囲】
【請求項１】
長尺状の主導体の長手方向中間部に圧延加工により前記主導体の主素線部の断面積より小さい断面積に形成されて所定値の電流で溶断可能な主溶断部とからなる第１のヒュージブルリンクと、
長尺状の分岐導体の長手方向中間部に圧延加工により前記分岐導体の分岐素線部の断面積より小さい断面積に形成されて所定値の電流で溶断可能な分岐溶断部とからなる第２、第３のヒュージブルリンクと、
前記第１のヒュージブルリンクの長手方向の一端に前記第２、第３のヒュージブルリンクの一端を接続し、前記主導体から前記分岐導体を分岐するジョイント部とからなることを特徴とするマルチヒュージブルリンク。
【請求項２】
請求項１記載のマルチヒュージブルリンクであって、
前記主導体が複数本の素線で形成され、前記分岐導体が複数本の素線で形成され、前記主溶断部と前記分岐溶断部は複数本の素線の圧延加工により形成されていることを特徴とするマルチヒュージブルリンク。
【請求項３】
請求項２記載のマルチヒュージブルリンクであって、
前記分岐導体は、前記主導体の複数本の素線を分岐容量に応じて分岐した素線で形成されていることを特徴とするマルチヒュージブルリンク。
【請求項４】
請求項１〜３のいずれか１項に記載のマルチヒュージブルリンクであって、
前記主溶断部と前記分岐溶断部は、前記ジョイント部で前記主導体と前記分岐導体とを分岐させた後に圧延加工により形成されることを特徴とするマルチヒュージブルリンク。
【発明の詳細な説明】
【技術分野】
【０００１】
本発明は、自動車等においてバッテリーの電流を車体の負荷に分配供給するために用いられるマルチヒュージブルリンクに関し、特に狭い配置スペースに対しても配置することが可能なマルチヒュージブルリンクに関する。
【背景技術】
【０００２】
自動車においては、バッテリーの電流を車体の負荷に分配供給するためにヒュージブルリンクが用いられている。特許文献１にはヒュージブルリンクユニットが記載されている。
【０００３】
特許文献１記載のヒュージブルリンクユニットは複数のヒュージブルリンクを係合させて組み付けることにより形成されるものであり、バッテリー端子に接続される一のヒュージブルリンクに対し、車体の負荷からの接続電線に接続される他のヒュージブルリンクを所定の交差角度で交差するように組み付けている。一のヒュージブルリンク及び他のヒュージブルリンクの交差状態を保持するため、これらを所定の交差角度で保持する保持用部材を用いている。特許文献１の複数のヒュージブルリンク及び保持用部材は、いずれも導電性金属板を立体的な３次元構造となるように加工し、この３次元構造を組み付けることによりバッテリーと接続電線との間に配置されるものであり、ヒュージブルリンクユニットの全体が立体的な３次元構造となっている。
【先行技術文献】
【特許文献】
【０００４】
【特許文献１】特開２０１０−２５１１７６号公報
【発明の概要】
【発明が解決しようとする課題】
【０００５】
従来のヒュージブルリンクユニットは立体的な３次元構造となって、バッテリーの周囲に配置されるため、バッテリーの周囲の配置スペースが狭い場合には、ヒュージブルリンクユニットを配置することができない問題がある。
【０００６】
そこで、本発明は配置スペースが狭い場合に対しても、配置が可能なマルチヒュージブルリンクを提供することを目的とする。
【課題を解決するための手段】
【０００７】
請求項１記載の発明のマルチヒュージブルリンクは、長尺状の主導体の長手方向中間部に圧延加工により前記主導体の主素線部の断面積より小さい断面積に形成されて所定値の電流で溶断可能な主溶断部とからなる第１のヒュージブルリンクと、長尺状の分岐導体の長手方向中間部に圧延加工により前記分岐導体の分岐素線部の断面積より小さい断面積に形成されて所定値の電流で溶断可能な分岐溶断部とからなる第２、第３のヒュージブルリンクと、前記第１のヒュージブルリンクの長手方向の一端に前記第２、第３のヒュージブルリンクの一端を接続し、前記主導体から前記分岐導体を分岐するジョイント部とからなることを特徴とする。
【０００８】
請求項２記載の発明は、請求項１記載のマルチヒュージブルリンクであって、前記主導体が複数本の素線で形成され、前記分岐導体が複数本の素線で形成され、前記主溶断部と前記分岐溶断部は複数本の素線の圧延加工により形成されていることを特徴とする。
【０００９】
請求項３記載の発明は、請求項２記載のマルチヒュージブルリンクであって、前記分岐導体は、前記主導体の複数本の素線を分岐容量に応じて分岐した素線で形成されていることを特徴とする。
【００１０】
請求項４記載の発明は、請求項１〜３のいずれか１項に記載のマルチヒュージブルリンクであって、前記主溶断部と前記分岐溶断部は、前記ジョイント部で前記主導体と前記分岐導体とを分岐させた後に圧延加工により形成されることを特徴とする。
【発明の効果】
【００１１】
請求項１記載の発明によれば、第２，第３のヒュージブルリンクがジョイント部によって第１のヒュージブルリンクに接続されることにより主導体が複数の分岐導体に分岐している。従って、電源等からの電流の分配が可能となる。
【００１２】
また、第１のヒュージブルリンクに設けられた主溶断部及び第２，第３のヒュージブルリンクに設けられた分岐溶断部がそれぞれの素線部よりも断面積が小さくなっているため、電気抵抗が大きく電流によって効率良く温度上昇する。
【００１３】
従って、それぞれのヒュージブルリンクは所定値以上の電流が流れると、主溶断部及び分岐溶断部が短時間で溶断するため、マルチヒュージブルリンクに接続される接続電線を保護することができる。
【００１４】
以上のマルチヒュージブルリンクは、第１，第２，第３のヒュージブルリンクがいずれも長尺状の導体によって形成されているため、電線タイプのマルチヒュージブルリンクとなっており、立体的な３次元構造となっていない。このため狭い配置スペースに対しても簡単に配置することができる。
【００１５】
請求項２記載の発明によれば、主導体及び分岐導体が複数本の素線によって形成され、主溶断部及び分岐溶断部が複数本の素線の圧延加工によって形成されているため、主溶断部及び分岐溶断部を簡単に形成することができる。
【００１６】
請求項３記載の発明によれば、分岐導体が主導体の複数本の素線を分岐容量に応じて分岐することにより形成されるため、分岐導体を簡単に分岐させることができる。
【００１７】
請求項４記載の発明によれば、主溶断部及び分岐溶断部が主導体と分岐導体との分岐の後の圧延加工によって形成されるため、主溶断部及び分岐溶断部を同時に形成することができ、製造工程を簡素化することができる。
【図面の簡単な説明】
【００１８】
【図１】本発明の第１実施形態のマルチヒュージブルリンクを示す斜視図である。
【図２】（ａ）〜（ｃ）は第１実施形態のマルチヒュージブルリンクを製造する工程を示す斜視図である。
【図３】マルチヒュージブルリンクをバッテリーに接続した状態を示す斜視図である。
【図４】本発明の第２実施形態のマルチヒュージブルリンクを示す斜視図である。
【発明を実施するための形態】
【００１９】
以下、本発明を図示する実施形態により具体的に説明する。なお、各実施形態において同一の部材には同一の符号を付して説明する。
【００２０】
〔第１実施形態〕
図１は本発明の第１実施形態のマルチヒュージブルリンク１を示し、第１のヒュージブルリンク２と、第１のヒュージブルリンク２から分岐した第２のヒュージブルリンク３及び第３のヒュージブルリンク４とを有している。
【００２１】
第１のヒュージブルリンク１は長尺状の主導体１１を有し、第２及び第３のヒュージブルリンク３、４は長尺状の分岐導体２１、３１を有している。これらの主導体１１、分岐導体２１、３１は導電性金属からなる複数本の素線を撚った撚り線によって形成されている。導電性金属としては、銅、銀、アルミニウムあるいはこれらの合金等を用いることができる。このように第１、第２、第３の導体１１、２１、３１によって形成されたマルチヒュージブルリンク１は電線タイプとなっており、立体的な３次元構造となることがない。
【００２２】
図２（ａ）に示すように、第１のヒュージブルリンク２は長尺状の主導体１１の長手方向の中間部に主溶断部１３が設けられている。主溶断部１３は主導体１１の長手方向中間部を圧延加工することにより形成されるものであり、主導体１１の他の部分よりも断面積が小さくなっている。すなわち、主溶断部１３は図１（ａ）のＤ領域で示す主素線部１２より小さい断面積に形成されるものである。断面積が小さくなっていることにより主溶断部１３の熱容量は主素線部１２の熱容量よりも小さくなる。又、主溶断部１３の電気抵抗が主素線部１２の電気抵抗よりも大きくなっており、主素線部１２に比べて発熱量が多く主素線部１２よりも大きく温度上昇する。
【００２３】
主溶断部１３には低融点金属体１４が溶着される。低融点金属体１４は主導体１１よりも低融点の金属が用いられる。低融点の金属としては、例えば錫、カドミウム、鉛、ビスマス、インジウムあるいはこれらの合金等を用いることができる。低融点金属体１４が主溶断部１３に溶着されることにより、低融点金属体１４が主溶断部１３と合金化すると共に主溶断部１３に拡散する。この低融点金属体１４の合金化及び拡散によって主溶断部１３の融点が主導体１１の主素線部１２の融点よりも低下するため、主溶断部１３は主素線部１２よりも低い温度で溶断することができる。この主溶断部１３の溶断により電流の供給が停止する。これにより過電流が第１のヒュージブルリンク２の下流側に流れることがなく、下流側に接続される第２及び第３のヒュージブルリンク３、４及びこれらのヒュージブルリンク３、４に接続される負荷からの接続電線を保護することができる。
【００２４】
第１のヒュージブルリンク２は車載のバッテリー等の電源に接続されるものであり、一端には図２（ｂ）で示すように端子金具４０が取り付けられる。端子金具４０はバッテリーのバッテリー端子（バッテリーポスト）に接続される端子部４１と、端子部４１に連続状に形成された加締め部４２とを備えている。加締め部４２は主導体１１に加締められ、この加締めによって端子金具４０が第１のヒュージブルリンク２に取り付けられる。
【００２５】
図２（ｃ）は第２及び第３のヒュージブルリンク３、４を示す。第２及び第３のヒュージブルリンク３、４はジョイント部５によって第１のヒュージブルリンク２から分岐するように第１のヒュージブルリンク２の一端に接続され、第１のヒュージブルリンク２からの電流を分配する。この第２及び第３のヒュージブルリンク３、４の下流側には負荷からの接続電線が接続される。
【００２６】
第２及び第３のヒュージブルリンク３、４においては、長尺状の分岐導体２１、３１の長手方向の中間部に分岐溶断部２３、３３が設けられている。これらの分岐溶断部２３、３３は分岐導体２１、３１の長手方向中間部を圧延加工することにより形成されるものであり、分岐導体２１、３１の他の部位である分岐素線部２２、３２よりも断面積が小さくなっている。断面積が小さくなっていることにより分岐溶断部２３、３３は分岐素線部２２、３２よりも熱容量が小さくなると共に、分岐素線部２２、３２の電気抵抗よりも大きな電気抵抗となっている。これにより分岐溶断部２３、３３は分岐素線部２２、３２に比べて発熱量が多く、分岐素線部２２、３２よりも大きく温度上昇する。
【００２７】
分岐溶断部２３、３３には低融点金属体２４、３４が溶着される。低融点金属体２４、３４は分岐導体２１、３１よりも低融点の金属、例えば錫、カドミウム、鉛、ビスマス、インジウムあるいはこれらの合金等が用いられる。低融点金属体２４、３４が分岐溶断部２３、３３に溶着されることにより、低融点金属体２４、３４が分岐溶断部２３、３３と合金化すると共に分岐溶断部２３、３３に拡散する。この低融点金属体２４、３４の合金化及び拡散によって分岐溶断部２３、３３の融点が分岐導体２１、３１の分岐素線部２２、３２の融点よりも低下するため、分岐溶断部２３、３３は分岐素線部２２、３２よりも低い温度で溶断することができる。この分岐溶断部２３、３３の溶断により電流の供給が停止する。これにより過電流が第２及び第３のヒュージブルリンク３、４の下流側に流れることがなく、下流側に接続される負荷からの接続電線を保護することができる。
【００２８】
図１に示すようにジョイント部５は第２、第３のヒュージブルリンク３、４を第１のヒュージブルリンク２の長手方向の一端で接続するものである。第２及び第３のヒュージブルリンク３、４の接続に際しては、複数本の素線からなるこれらのヒュージブルリンク３、４の分岐導体２１、３１を複数本の素線からなる第１のヒュージブルリンク２の主導体１１に半田付け等の溶接により行うことができる。この場合、第２及び第３のヒュージブルリンク３、４の分岐導体２１、３１における素線は第１のヒュージブルリンク２の主導体１１からの分岐容量に応じた本数が接続される。ジョイント部５は以上のヒュージブルリンク２、３、４の接続部分を覆うことにより接続部分における素線を保護している。
【００２９】
図３はこの実施形態のマルチヒュージブルリンク１を車載のバッテリー４５に取り付けた状態を示す。バッテリー４５への取り付けにおいては、第１のヒュージブルリンク２に取り付けた端子金具４０にバッテリー４５のバッテリー端子４７を貫通させ、接続ボルト４９を締め付けることにより行うことができる。これに対し第１のヒュージブルリンク２から分岐している第２及び第３のヒュージブルリンク３、４の下流側には車体の負荷からの接続電線が接続される。これによりバッテリー４５の電流を第２及び第３のヒュージブルリンク３、４から接続電線に分配供給することができる。
【００３０】
この実施形態のマルチヒュージブルリンク１は電線タイプとなっており、立体的な３次元構造となっていない。このため、狭い配置スペースに対しても簡単に配置することができる。
【００３１】
又、第１のヒュージブルリンク２の主溶断部１３、第２及び第３のヒュージブルリンク３、４の分岐溶断部２３、３３は断面積が小さく、効率良く温度上昇すると共に低融点金属体１４、２４、３４が溶着して低い温度での溶断が可能となっているため、所定値以上の過電流が流れるとこれらが短時間で溶断する。これによりマルチヒュージブルリンク１に接続される接続電線を保護することができる。
【００３２】
〔第２実施形態〕
図４は本発明の第２実施形態のマルチヒュージブルリンク１Ａを示す。
【００３３】
マルチヒュージブルリンク１Ａにおいては、第１のヒュージブルリンク２の主導体１１を分岐することにより第２及び第３のヒュージブルリンク３Ａ、４Ａの分岐導体２１、３１が形成されるものである。すなわち、第１のヒュージブルリンク２の主導体１１が複数本の素線の撚り線からなり、第２及び第３のヒュージブルリンク３Ａ、４Ａの分岐導体２１、３１はこの主導体１１の撚り線を分岐することにより形成されており、これにより１本の電線を用いてマルチヒュージブルリンク１Ａが形成される。
【００３４】
この実施形態のマルチヒュージブルリンク１Ａの製造は、第１のヒュージブルリンク２の主導体１１の長手方向中間部を圧延加工して断面積の小さな主溶断部１３を形成した後、主溶断部１３の下流側の主導体１１の中間部分を圧延して素線を固めることによりジョイント部５Ａを形成する。そして、このジョイント部５Ａの下流側の素線を２つに分岐して分岐導体２１、３１を形成し、分岐導体２１、３１の長手方向中間部を圧延加工して断面積が小さな分岐溶断部２３、３３を形成する。その後、主導体１１の主溶断部１３及び分岐導体２１、３１の分岐溶断部２３、３３に対してそれぞれの低融点金属体１４、２４、３４を溶着してマルチヒュージブルリンク１Ａとする。
【００３５】
このような実施形態のマルチヒュージブルリンク１Ａは、第１実施形態のマルチヒュージブルリンク１と同様に電線タイプであり、立体的な３次元構造となっていないため、狭い配置スペースに対しても簡単に配置することができる。また、第１のヒュージブルリンク２、第２及び第３のヒュージブルリンク３Ａ、４Ａにおける断面積の小さな主溶断部１３、分岐溶断部２３、３３が効率良く温度上昇すると共に低融点金属体１４、２４、３４が溶着して低い温度での溶断が可能となっているため、所定値以上の過電流が流れるとこれらが短時間で溶断する。これによりマルチヒュージブルリンク１Ａに接続される接続電線を保護することができる。
【００３６】
さらにこの実施形態では、主溶断部１３、分岐溶断部２３、３３に対して低融点金属体１４、２４、３４を同時に溶着することができる。このため、低融点金属体１４、２４、３４の溶着工程を少なくでき、製造工程を簡素化することができる。
【符号の説明】
【００３７】
１、   １Ａ  マルチヒュージブルリンク
２  第１のヒュージブルリンク
３、３Ａ  第２のヒュージブルリンク
４、４Ａ  第３のヒュージブルリンク
５、５Ａ  ジョイント部
１１  主導体
１２  主素線部
１３  主溶断部
２１、３１  分岐導体
２２、３２  分岐素線部  
２３、３３  分岐溶断部
１４、２４、３４  低融点金属体
【図１】
0005740242.tif 000002
【図２】
0005740242.tif 000003
【図３】
0005740242.tif 000004
【図４】
0005740242.tif 000005